(57)【特許請求の範囲】
【請求項１】
地雷原の地雷を誘爆処理するために投射される爆索において、
液体燃料をケースに充填した複数の威力体を、筒形にしたスリーブ内に装填し、
互いに隣り合う威力体間に、これら威力体に加わる衝接力を緩和する緩衝部材を介装したことを特徴とする爆索。
【請求項２】
威力体をスリーブの軸心に沿って整列させていることを特徴とする請求項１に記載の爆索。
【請求項３】
スリーブは、投射時の索張力に耐える強度を有することを特徴とする請求項１又は２に記載の爆索。
【請求項４】
緩衝部材を介装した互いに隣り合う威力体どうしを弾性材からなる連結バンドで連結していることを特徴とする請求項１〜３のいずれか１項に記載の爆索。
【請求項５】
請求項１〜４のいずれか１項に記載した爆索、この爆索を曳行するためのロケット弾及びこのロケット弾を発射するための発射装置を有することを特徴とする爆索投射システム。
【発明の詳細な説明】
【技術分野】
【０００１】
本発明は、たとえば地雷原の地雷を誘爆処理するための爆索とこれを用いた爆索投射システムに関する。
【背景技術】
【０００２】
この種の従来技術として、特許文献１に「Fuel/Air line Charge ordance Neutralizer」とした名称において開示された構成のものがある。
上記特許文献１に記載されたものは、空のホースを４つのロケット弾により牽引し、落下傘により展張させた後、そのホースに液体燃料を高圧窒素ガスによって圧送供給する構成のものである。
【先行技術文献】
【特許文献】
【０００３】
【特許文献１】米国特許第４９６７６３６号明細書
【発明の概要】
【発明が解決しようとする課題】
【０００４】
しかしながら、上記特許文献１に記載された液体後込め方式のものでは、ロケット弾により空のホースを投射すると、そのホースに捻じれが生じたり折り重なる等の事象が生じて、そのホースに液体燃料の注入を円滑に行なえない虞がある。
【０００５】
また、液体燃料をホースに注入するための燃料充填装置が必要なため、システムが大型化するとともに、空のホースを投射，展張した後、液体燃料を充填するプロセスが必須となるために即応性に欠けるという欠点がある。
【０００６】
これに対して、予め液体燃料を充填した状態で、投射・展張による張力に対して十分な強度を有し、かつ、収納・投射〜繰上げに対して、十分な柔軟性・可撓性を有するホース構造・材質を使用することが困難である。
投射・繰上げのとき、長尺なホース内で液体燃料が揺動することによって、ロケット弾による投射を安定して行なうことができない。
長いホース内で自由度をもつ液体燃料が、発射の加速度によって急激な断熱圧縮を受ける場合には、爆発の虞がある。
【０００７】
そこで本発明は、投射後にスリーブに液体燃料を充填する必要がなく、柔軟性、可撓性を有しかつ飛翔の安定性、安全性とともにシステム構成の小型軽量化を図ることができる爆索とこれを用いた爆索投射システムの提供を目的としている。
【課題を解決するための手段】
【０００８】
上記課題を解決するための爆索は、地雷原の地雷を誘爆処理するために投射して使用されるものであり、液体燃料をケースに充填した複数の威力体を、筒形にしたスリーブ内に装填し、互いに隣り合う威力体間に、これら威力体に加わる衝接力を緩和する緩衝部材を介装したことを特徴としている。
同上の課題を解決するための爆索投射システムは、上記した爆索、この爆索を曳行するためのロケット弾及びこのロケット弾を発射するための発射装置を有することを特徴としている。
【発明の効果】
【０００９】
本発明によれば、投射後にスリーブに液体燃料を充填する必要がなく、柔軟性、可撓性を有しかつ飛翔の安定性、安全性とともにシステム構成の小型軽量化を図ることができ、また、緩衝部材により、互いに隣り合う威力体に加わる衝接力を緩和することができる。
【図面の簡単な説明】
【００１０】
【図１】本発明の一実施形態に係る爆索を用いた爆索投射システムの一例を示す説明図である。
【図２】同上の爆索の構成を一部を破断して示す説明図である。
【図３】（Ａ）は、爆索の一部をなす威力体の正面図、（Ｂ）は、その側面図、（Ｃ）は、その断面図である。
【図４】（Ａ）は、緩衝部材の正面図、（Ｂ）は、その側面図である。
【発明を実施するための形態】
【００１１】
以下に、本発明を実施するための形態について、図面を参照して説明する。図１は、本発明の一実施形態に係る爆索を用いた爆索投射システムの一例を示す説明図、図２は、その爆索の構成を一部を破断して示す説明図、図３（Ａ）は、威力体の正面図、（Ｂ）は、その側面図、（Ｃ）は、その断面図である。
【００１２】
爆索投射システム１は、図１に示すように、本発明の一実施形態に係る爆索Ａ、これを曳行するためのロケット弾２及びこのロケット弾２を発射するための発射装置３を有している。
【００１３】
発射装置３は、ロケット弾２を発射する機能を有するものであり、後述する液体燃料をスリーブ１０に注入するための充填機構等を省いた簡易な構成にすることにより小型化を図ったものである。
【００１４】
本発明の一実施形態に係る爆索Ａは、図２に示すように、スリーブ１０、威力体２０、緩衝部材３０、連結バンド４０及び導爆・起爆薬５０を主要の構成としている。
スリーブ１０は、数十ミリほどの所要の内径にし、かつ、数十メートルほどの所定の長さにした円筒形のものである。
このスリーブ１０は、投射時に索張力に耐える強度を有するものである。具体的には、爆索Ａを曳行する上記ロケット弾２から受ける外力等に耐える強度を有するケブラー等の材質により形成されている。
【００１５】
本実施形態において示す威力体２０は、図２，図３（Ａ）〜（Ｃ）に示すように、液体燃料Ｆをケース２１に充填密封したものである。
「液体燃料Ｆ」は、例えばニトロメタンやプロピレンオキサイド等である。
本実施形態において示すケース２１は金属製のものであり、所要長さＬの円筒形にし、かつ、スリーブ１０の内径よりもやや大きい外径Ｄになっている。
具体的には、一定の外径にした中央壁部２１ａの両側に凸曲面に形成した端壁部２１ｂ，２１ｂを合わせた略球形になっている。
【００１６】
ケース２１の一部には、液体燃料Ｆを充填するための充填用孔と、空気抜き用孔（いずれも図示しない）とが形成されており、威力体２０を上記したスリーブ１０に装填する前に液体燃料Ｆを充填するようにしている。
【００１７】
端壁部２１ｂ，２１ｂには、中央壁部２１ａの軸心Ｏに一致して導爆・起爆薬５０を貫通させるための貫通孔２１ｃ，２１ｃが形成されている。
また、端壁部２１ｂ，２１ｂの外壁面には、軸心Ｏを挟む両側対向位置に、９０度間隔で連結バンド４０を掛着するための４つの掛着用突起２２が突設されている。
【００１８】
連結バンド４０は、図２に示すように、互いに隣り合う威力体２０，２０間に下記の緩衝部材３０を介装した状態で、それら威力体２０，２０どうしを弾性的に連結するためのものであり、例えばゴム材で形成されている。
本実施形態においては、互いに隣り合う威力体２０，２０どうしを弾性的に連結する所要の長さにして形成され、掛着用突起２２を挿入掛着するための掛着用孔４１，４１が両端部に穿設されている。
【００１９】
図４（Ａ）は、緩衝部材の正面図、（Ｂ）は、その側面図である。
緩衝部材３０は、互いに隣り合う威力体２０，２０間に、これら威力体２０に加わる衝接力を緩和するものであり、それは、ケース２１の直径Ｄよりも小さい外径にした円環形に形成されている。
この緩衝部材３０の両側壁面３１，３１は、上記ケース２１の端部２１ｂの外壁面に摺接する曲面に形成されており、ケース２１との接触面積を大きくして摺接力を効率よく緩和するとともに、互いに隣り合う威力体２０，２０どうしの相対的な変位を円滑に行なわせるようにしている。
【００２０】
すなわち、緩衝部材３０を介装した隣り合う威力体２０，２０どうしを弾性材からなる連結バンド４０で連結しているので、威力体２０，２０どうしの相対的な摺接変位を円滑に行なわせつつ、それら威力体２０，２０どうしの衝接を防止している。
【００２１】
以上の構成からなる爆索及び爆索投射システムによれば、次の効果を得ることができる。
・爆索Ａを投射する前に、スリーブ１０に予め液体燃料が充填されている威力体２０を装填しておけるので、投射後にスリーブ１０に液体燃料を充填する必要がない。
・液体燃料Ｆをケース２１に充填した複数の威力体２０を筒形にしたスリーブ内に装填した構造を有しているので、爆索Ａ自体に柔軟性、可撓性を保持させることができる。これにより、投射飛翔の安定性、安全性を確保することができる。
【００２２】
また、発射装置に、液体燃料をホースに注入充填するための燃料充填装置を設ける必要が無いので、その発射装置の小型軽量化を図ることができ、従って、システムの小型，簡素化を図ることができる。
さらに、スリーブを投射，展張した後に、液体燃料を注入充填するプロセスが必要ないために、即応性を向上させられる。
・予め液体燃料が充填されている威力体がスリーブ１０内に装填されているので、液体後込め方式において液体燃料の円滑な注入を阻害する投射，展張したスリーブ１０の捻じれや折り重なり等の事象について発生防止措置を講ずる必要がない。
【００２３】
なお、本発明は上述した実施形態に限るものではなく、次のような変形実施が可能である。
・上述した実施形態においては、威力体をスリーブの軸心Ｏに沿って一列に整列させているものを例示したが、二列以上に配列してもよい。
・また、上記した威力体よりも小さいものをスリーブ内にランダムに装填した形態のものであってもよい。
【符号の説明】
【００２４】
１０  スリーブ
２０  威力体
２１  ケース
Ｆ    液体燃料
【図１】
0005684561.tif 000002
【図２】
0005684561.tif 000003
【図３】
0005684561.tif 000004
【図４】
0005684561.tif 000005